(57)【要約】【課題】木材を破砕して作られる木材チップは、樹木などの周囲に敷き詰めて雑草の発生を防止する雑草抑制材として利用されている。しかし、樹木などの周囲より飛来してくる雑草の種が木材チップの表面または間に付着して根を張り雑草が発生する、また、木材チップの絡み効果を木材チップを敷き詰め後、さらに転圧することで飛散流失防止としていたが、小片などには効果がない、さらに、木材チップの表面が日光、雨などに曝され、表面の色が劣化褪色するなどの問題があった。【解決手段】樹木、街路灯のポール及び建築物の支柱、橋脚などの周囲に雑草抑制材として使用される木材チップの表面に、透明な繊維化合成樹脂を散布するよう構成されている。【選択図】　　　　図１
2004098421.tif 000002
【特許請求の範囲】
【請求項１】
樹木、街路灯のポール及び建築物の支柱、橋脚などの周囲に雑草抑制材として隙間が存する状態の転圧状態で使用される湿気の少ない木材チップの表面に、透明な繊維化合成樹脂を散布することにより、木材チップの雑草抑制効果の向上、飛散防止及び色彩の保持などの効果を得るよう構成されていることを特徴とする雑草抑制材として使用される木材チップの処理方法。
【請求項２】
下記の各工程から構成されていることを特徴とする雑草抑制材として使用される木材チップの処理方法。
第１工程
抜根、間伐材などを天日干しした後、破砕して木材チップ材を生産する。
第２工程
木材チップ材を篩い機械に通し、小片類、土砂類を除去して土砂分混入の少ない木材チップ（２Ａ、２Ａ．．）を確保する。
第３工程
第２工程で得た土砂分混入の少ない木材チップ（２Ａ、２Ａ．．）を樹木（３）、街路灯のポール及び建築物の支柱、橋脚などの周囲に所定厚さで敷き均し転圧を行い木材チップの層（２）を形成する。
第４工程
木材チップの層（２）の表面に透明な繊維化合成樹脂（４）を散布機により適量散布して、木材チップの層（２）の表面にネット状部（５）を形成する。
第５工程
散布後、半日から１日後にネット状部（５）の仕上がり程度を確認する。
【請求項３】
繊維化合成樹脂（４）が、セラミックファイバー（４Ａ、４Ａ．．）を含有させた状態で練り込まれた透明な合成樹脂（４Ｂ）で構成され、内部空隙部（４Ｃ、４Ｃ．．）を含んでいる請求項１あるいは請求項２記載の雑草抑制材として使用される木材チップの処理方法。
【請求項４】
第３工程で敷き均し転圧される木材チップの層（２）の厚さは、１５〜２０ｃｍ程度である請求項２記載の雑草抑制材として使用される木材チップの処理方法。
【発明の詳細な説明】
【０００１】
【発明の属する技術分野】
本発明は、新規な構成を有する雑草抑制材（所謂マルチ材）として使用される木材チップの表面に繊維化合成樹脂を散布する方法に関するものである。
詳しくは、木材を破砕して作られる木材チップは、上述のように樹木、街路灯のポール及び建築物の支柱、橋脚などの周囲に敷き詰めて雑草の発生を防止する雑草抑制材に利用されているが、樹木などの水分補給に影響を与えず雑草の抑制効果、飛散防止及び材料の色彩の保持効果を得るため、その表面に繊維化合成樹脂を散布する方法に係るものである。
【０００２】
【従来の技術】
従来、木材を破砕して作られる木材チップは、樹木などの周囲に敷き詰めて雑草の発生を防止する雑草抑制材として利用されている。
【０００３】
【発明が解決しようとする課題】
従来の技術で述べたものにあっては、下記のような問題点を有していた。
１．雑草の発生
従来の工法では、樹木などの周囲より飛来してくる雑草の種が木材チップの表面または間に付着してそこから根を張り、定着し、雑草が発生することになる。
２．飛散現象の発生
従来の工法では、木材チップの絡み効果を木材チップを敷き詰め後、さらに転圧することで飛散流失防止としていたが、小片などには効果がなく、敷き均し直後は木材チップの飛散が発生していた。
３．色彩の褪色現象の発生
従来の工法では、木材チップの表面が日光、雨などに曝され、表面の色が劣化褪色し、木材チップの自然な色が短期間で失われてしまう。
【０００４】
本発明は、従来の技術の有するこのような問題点に鑑みなされたものであり、その目的とするところは、下記のようにすることのできるものを提供しようとするものである。
雑草抑制材として敷き詰めた木材チップの表層面に繊維化合成樹脂を散布することにより、表面はあたかも見えないネットで覆われた状態になる。
【０００５】
【課題を解決するための手段】
上記目的を達成するために、本発明は下記のようになるものである。
請求項１記載の発明は、樹木、街路灯のポール及び建築物の支柱、橋脚などの周囲に雑草抑制材として隙間が存する状態の転圧状態で使用される湿気の少ない木材チップの表面に、透明な繊維化合成樹脂を散布することにより、木材チップの雑草抑制効果の向上、飛散防止及び色彩の保持などの効果を得るよう構成されていることを特徴とするものである。
【０００６】
請求項２記載の発明は、下記の各工程から構成されていることを特徴とするものである。
第１工程
抜根、間伐材などを天日干しした後、破砕して木材チップ材を生産する。
第２工程
木材チップ材を篩い機械に通し、小片類、土砂類を除去して土砂分混入の少ない木材チップ２Ａ、２Ａ．．を確保する。
第３工程
第２工程で得た土砂分混入の少ない木材チップ２Ａ、２Ａ．．を樹木３、街路灯のポール及び建築物の支柱、橋脚などの周囲に所定厚さで敷き均し転圧を行い木材チップの層２を形成する。
第４工程
木材チップの層２の表面に繊維化合成樹脂４を散布機により適量散布して、木材チップの層２の表面にネット状部５を形成する。
第５工程
散布後、半日から１日後にネット状部５の仕上がり程度を確認する。
【０００７】
請求項３記載の発明は、請求項１あるいは請求項２記載の発明において、繊維化合成樹脂４が、セラミックファイバー４Ａ、４Ａ．．を含有させた状態で練り込まれた透明な合成樹脂４Ｂで構成され、内部空隙部４Ｃ、４Ｃ．．を含んでいることを特徴とするものである。
【０００８】
請求項４記載の発明は、請求項２記載の発明において、第３工程で敷き均し転圧される木材チップの層２の厚さは、１５〜２０ｃｍ程度であることを特徴とするものである。
【０００９】
【発明の実施の形態】
発明の実施の形態を実施例に基づき図面を参照して説明する。
１は本発明の方法で得た木材チップ群である。
第１工程
抜根、間伐材などを天日干しした後、破砕して木材チップ材を生産する。
実際には生木を１週間程度天日干しした後、破砕木材チップ化したもので十分である。
第２工程
木材チップ材を篩い機械に通し、小片類、土砂類を除去して土砂分混入の少ない木材チップ２Ａ、２Ａ．．を確保する。
木材チップ材を篩い機械にかける意味は、土砂及び小片の除去であり、２ｍｍの網スクリーンにて篩いを掛け、残った木材チップを使用している。
第３工程
第２工程で得た土砂分混入の少ない木材チップ２Ａ、２Ａ．．を樹木３、街路灯のポール及び建築物の支柱、橋脚などの周囲に厚さ１５〜２０ｃｍ程度に敷き均し転圧を行い木材チップの層２を形成する。２Ｂ、２Ｂ．．は木材チップ２Ａ、２Ａ．．間に形成されている隙間である。この隙間２Ｂ、２Ｂ．．により透水性を維持することが可能となる。
【００１０】
第４工程
木材チップの層２の表面に繊維化合成樹脂４を公知の専用散布機により適量散布して、木材チップの層２の表面にネット状部５を形成する。
この場合、専用散布機は、繊維化合成樹脂を適量散布するための可搬型散布機である。また、施工には雨天時及び寒冷時（目安として５℃以下）を避ける必要がある。
Ａ．ネット状部５は繊維化合成樹脂を散布して構成されているので、開口部５Ａ、５Ａ．．が不規則な状態で形成されていることになる。
Ｂ．繊維化合成樹脂４は、セラミックファイバー（繊維）４Ａ、４Ａ．．を含有させた状態で練り込まれた合成樹脂（ポリウレタン樹脂）４Ｂで構成されており、内部空隙部４Ｃ、４Ｃ．．を含んでいる。
セラミックファイバー４Ａ、４Ａ．．が含有されているので、あたかもクモの巣のような状態で木材チップ２Ａ、２Ａ．．に絡みつき、かつ木材チップ同士を接続固着する。
Ｃ．繊維化合成樹脂４における合成樹脂４Ｂは、透明な樹脂で構成されている。
この場合、透明な合成樹脂で構成されているので、ネット状部５自体は見えず木材チップの層２の表面をよく透視できることになる。
第５工程
散布後、半日から１日後にネット状部５の仕上がり程度、すなわち、表面の乾燥、硬化程度、一体感などを確認する。
すなわち、手で触ってみて合成樹脂が乾燥、硬化しているかどうかを確認する。
合成樹脂が乾燥していれば樹脂の持つ固着性が発現していることになると共に、敷き均した表面は一体感のあるものになる。
【００１１】
【実施例】
実験の結果、下記の条件のものが好適であった。
Ａ．繊維化合成樹脂４は、例えば有限会社ミクロコスモス製の「エコファイン」を使用するとよい。
Ｂ．繊維化合成樹脂４の散布量は最低でも０．２ｋｇ／ｍ２　以上を目安とする。
一応の計算としては、約１００ｍ２　で２０ｋｇの樹脂を散布することになるので、２０÷１００＝０．２ｋｇ／ｍ２　になる。
ただし、この数字は一応に目安であり、強風地帯で固着性を重視する場合は、散布量を増やす必要があると考え、０．２〜２．０ｋｇ／ｍ２　と幅を持たせた散布量を設定している。
【００１２】
【発明の効果】
本発明は、上述の通り構成されているので次に記載する効果を奏する。
１．雑草の発生の抑制効果の向上
従来の工法では、樹木周囲より飛来してくる雑草の種が木材チップの表面または間に付着してそこから根を張り、定着し、雑草が発生することになるが、繊維化合成樹脂を木材チップの表面に散布することにより、飛来してきた雑草の種が直接木材チップの上または間に定着することが大幅に減るため、雑草の抑制に効果がある。
２．飛散防止効果の向上
従来の工法では、木材チップの絡み効果を木材チップを敷き詰め後、さらに転圧することで飛散流失防止としていたが、小片などには効果がなく、敷き均し直後は木材チップの飛散が発生していた。
本発明の方法により接着性、結合性のある繊維化合成樹脂を木材チップの表面に散布するため、あたかも「見えないネット」で覆われているかのように木材チップの層の表面が保持され飛散流出が大幅に減少する。
３．色彩の保持効果
従来の工法では、木材チップの表面が日光、雨などに曝され、表面の色が劣化褪色し、木材チップの自然な色が短期間で失われてしまう。
本発明の方法により散布された繊維化合成樹脂が敷き詰められた木材チップの表面を保護するため、チップ材の色彩が保持され、褪色が起こりにくくなる。
４．透水性があるため植栽への影響がない。
５．繊維化合成樹脂４はポリウレタン樹脂のため、生物との親和性及び生分解性（自然還元性）があるので自然への負荷が少ない。
【図面の簡単な説明】
【図１】処理された状態の側面図である。
【図２】Ａ−Ａ線で断面した模式的断面図である。
【図３】同上における要部拡大縦断面図である。
【図４】Ｂ部分における繊維化合成樹脂の模式的要部拡大平面図である。
【符号の説明】
１　本発明の方法で得た木材チップ群
２　木材チップの層
２Ａ　土砂分混入の少ない木材チップ
２Ｂ　隙間
３　樹木
４　繊維化合成樹脂
４Ａ　セラミックファイバー
４Ｂ　合成樹脂
５　ネット状部
５Ａ　開口部
【図１】
2004098421.tif 000003
【図２】
2004098421.tif 000004
【図３】
2004098421.tif 000005
【図４】
2004098421.tif 000006